【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
延長管と、前記延長管に係止可能な補助吸込具とを有する電気掃除機において、
前記補助吸込具は、パイプ部材と、該パイプ部材の外周に配設され該補助吸込具外へと附勢されている刷毛部と、クランプ部材と、前記刷毛部を覆うカバーとを有し、
前記刷毛部はクランプ係合部を有し、
前記クランプ部材には係止部と突起部とボタン部が備えられており、
前記ボタン部が押圧されていない場合、前記ボタン部は前記カバーの外側に露出するように設けられており、前記係止部は前記パイプ部材の内側に突出するように設けられており、前記突起部は前記パイプ部材の外側かつ前記カバーの内側に設けられており、
前記刷毛部が前記カバーから露出した状態では、前記突起部は前記クランプ係合部の後ろに位置し、
前記刷毛部が前記カバー内に収納された状態では、前記突起部は前記クランプ係合部の前に位置し、
前記延長管は前記パイプ部材内で前記係止部により係止され、
前記刷毛部は前記クランプ係合部と前記突起部の当接により前記補助吸込具内に係止され、
前記ボタン部の押圧により、前記突起部は押し下がり、前記係止部は転角することを特徴とする電気掃除機。
【請求項２】
延長管と、前記延長管に係止可能な補助吸込具とを有する電気掃除機において、
前記補助吸込具は、パイプ部材と、該パイプ部材の外周に配設され該補助吸込具外へと附勢されている刷毛部と、クランプ部材と、前記刷毛部を覆うカバーとを有し、
前記刷毛部はクランプ係合部を有し、
前記クランプ部材には係止部と突起部とボタン部が備えられており、
前記刷毛部は、前記突起部と前記クランプ係合部の当接により前記刷毛部が前記カバー内に収納された状態と、前記係止部と前記延長管との係止および前記クランプ係合部と前記突起部との係止が解除され、かつ前記刷毛部と前記カバーの内側が当接することにより前記刷毛部が前記カバーから露出した状態の少なくとも２つの状態をとることが可能で、
前記ボタン部が押圧されていない場合、前記ボタン部は前記カバーの外側に露出するように設けられており、前記係止部は前記パイプ部材の内側に突出するように設けられており、
前記刷毛部が前記カバーから露出した状態では、前記突起部は前記クランプ係合部の後ろに位置し、
前記刷毛部が前記カバー内に収納された状態では、前記突起部は前記クランプ係合部の前に位置し、
前記延長管は前記パイプ部材内で前記係止部により係止され、
前記ボタン部の押圧により、前記突起部は押し下がり、前記係止部は転角し、前記刷毛部が前記収納された状態から前記露出した状態になることを特徴とする電気掃除機。
【請求項３】
延長管と、前記延長管に係止可能な補助吸込具とを有する電気掃除機において、
前記補助吸込具は、パイプ部材と、該パイプ部材の外周に配設され該補助吸込具外へと附勢されている刷毛部と、クランプ部材と、前記刷毛部を覆うカバーとを有し、
前記刷毛部はクランプ係合部を有し、
前記クランプ部材は、前記カバーの外側に露出して設けられているボタン部と、前記パイプ部材の内側に突出するように設けられており前記パイプ部材に嵌入された前記延長管を前記パイプ部材内で係止する係止部と、前記パイプ部材の外側かつ前記カバーの内側に設けられており前記刷毛部の前記クランプ係合部と当接し前記刷毛部を前記カバー内に収納する突起部と、を備えており、
前記ボタン部が押圧されない場合は、前記ボタン部は前記カバーの外側に露出するように位置しており、前記突出部は前記パイプ部材の内側に突出するように位置しており、
前記刷毛部が前記カバーから露出した状態では、前記突起部は前記クランプ係合部の後ろに位置し、
前記刷毛部が前記カバー内に収納された状態では、前記突起部は前記クランプ係合部の前に位置し、
前記ボタン部の押圧により、前記突起部は押し下がり前記突起部と前記クランプ係合部との係止が解除され、かつ前記係止部は転角し前記係止部と前記延長管との係止が解除され、
前記係止の解除により前記刷毛部は前記補助吸込具の外へと飛び出すことを特徴とする電気掃除機。
【請求項４】
請求項３に記載された電気掃除機において、
前記刷毛部は両端に突起を有し、
前記突起により前記刷毛部の前記カバーからの露出を制限することを特徴とする電気掃除機。
【請求項５】
請求項１乃至４の何れかに記載された電気掃除機において、
前記突起部と、前記クランプ係合部は、傾斜面を有していることを特徴とする電気掃除機。
【請求項６】
請求項１乃至５の何れかに記載された電気掃除機において、
前記ボタン部が前記カバーの外側に露出した方向を上方向とすると、
前記ボタン部を下方向に押すと、前記係止部は上方向に転角することを特徴とする電気掃除機。
【請求項７】
請求項１乃至６の何れかに記載された電気掃除機において、
前記パイプ部材は、その上側部の外周に配線を収容するスペース部を備えた、非円形の断面形状体であることを特徴とする電気掃除機。
【請求項８】
請求項１乃至７の何れかに記載された電気掃除機において、
前記ボタン部が前記補助吸込具の上方にあるとすると、
前記カバーの軸方向の上方の長さよりも前記カバーの下方の長さのほうが短いことを特徴とする電気掃除機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明の目的は、延長管と補助吸込具との係止と、刷毛部と補助吸込具との係止を行うことができ、延長管と補助吸込具との係止の解除とともに刷毛部と補助吸込具との係止の解除ができる補助の吸込具および該吸込具を備えた電気掃除機を提案することにある。
【手続補正５】
【補正対象書類名】明細書
【補正対象項目名】０００８
【補正方法】変更
【補正の内容】
【０００８】
本発明は、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材には係止部と突起部とボタン部が備えられており、前記ボタン部が押圧されていない場合、前記ボタン部は前記カバーの外側に露出するように設けられており、前記係止部は前記パイプ部材の内側に突出するように設けられており、前記突起部は前記パイプ部材の外側かつ前記カバーの内側に設けられており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記延長管は前記パイプ部材内で前記係止部により係止され、前記刷毛部は前記クランプ係合部と前記突起部の当接により前記補助吸込具内に係止され、前記ボタン部の押圧により、前記突起部は押し下がり、前記係止部は転角することを特徴とする。
また、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材には係止部と突起部とボタン部が備えられており、前記刷毛部は、前記突起部と前記クランプ係合部の当接により前記刷毛部が前記カバー内に収納された状態と、前記係止部と前記延長管との係止や前記クランプ係合部と前記突起部との係止が解除され、かつ前記刷毛部と前記カバーの内側が当接することにより前記刷毛部が前記カバーから露出した状態の少なくとも２つの状態となり、前記ボタン部が押圧されていない場合、前記ボタン部は前記カバーの外側に露出するように設けられており、前記係止部は前記パイプ部材の内側に突出するように設けられており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記延長管は前記パイプ部材内で前記係止部により係止され、前記ボタン部の押圧により、前記突起部は押し下がり、前記係止部は転角し、前記刷毛部が前記収納された状態から前記露出した状態になることを特徴とする。
また、本発明は、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材は、前記カバーの外側に露出して設けられているボタン部と、前記パイプ部材の内側に突出するように設けられており前記パイプ部材に嵌入された前記延長管を前記パイプ部材内で係止する係止部と、前記パイプ部材の外側かつ前記カバーの内側に設けられており前記刷毛部の前記クランプ係合部と当接し前記刷毛部を前記カバー内に収納する突起部と、を備えており、前記ボタン部が押圧されない場合は、前記ボタン部は前記カバーの外側に露出するように位置しており、前記突出部は前記パイプ部材の内側に突出するように位置しており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記ボタン部の押圧により、前記突起部は押し下がり前記突起部と前記クランプ係合部との係止が解除され、かつ前記係止部は転角し前記係止部と前記延長管との係止が解除され、前記係止の解除により前記刷毛部は前記補助吸込具の前方へと飛び出すことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、補助吸込具に設けられたクランプ部材により、延長管と補助吸込具との係止と、刷毛部と補助吸込具との係止を行うことができ、延長管と補助吸込具との係止の解除とともに刷毛部と補助吸込具との係止の解除を行うことができる電気掃除機を提供できる。
【手続補正９】
【補正対象書類名】明細書
【補正対象項目名】００１２
【補正方法】変更
【補正の内容】
【００１２】
本発明は、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材には係止部と突起部とボタン部が備えられており、前記ボタン部が押圧されていない場合、前記ボタン部は前記カバーの外側に露出するように設けられており、前記係止部は前記パイプ部材の内側に突出するように設けられており、前記突起部は前記パイプ部材の外側かつ前記カバーの内側に設けられており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記延長管は前記パイプ部材内で前記係止部により係止され、前記刷毛部は前記クランプ係合部と前記突起部の当接により前記補助吸込具内に係止され、前記ボタン部の押圧により、前記突起部は押し下がり、前記係止部は転角するように構成する。
また、本発明は、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材には係止部と突起部とボタン部が備えられており、前記刷毛部は、前記突起部と前記クランプ係合部の当接により前記刷毛部が前記カバー内に収納された状態と、前記係止部と前記延長管との係止や前記クランプ係合部と前記突起部との係止が解除され、かつ前記刷毛部と前記カバーの内側が当接することにより前記刷毛部が前記カバーから露出した状態の少なくとも２つの状態となり、前記ボタン部が押圧されていない場合、前記ボタン部は前記カバーの外側に露出するように設けられており、前記係止部は前記パイプ部材の内側に突出するように設けられており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記延長管は前記パイプ部材内で前記係止部により係止され、前記ボタン部の押圧により、前記突起部は押し下がり、前記係止部は転角し、前記刷毛部が前記収納された状態から前記露出した状態になるように構成する。
また、本発明は、延長管と、前記延長管と係止可能な補助吸込具とを有する電気掃除機において、前記補助吸込具は、パイプ部材と、該パイプ部材の外周に配設され該補助吸込具外へと附勢されている刷毛部と、クランプ部材と、前記刷毛部を覆うカバーとを有し、前記刷毛部はクランプ係合部を有し、前記クランプ部材は、前記カバーの外側に露出して設けられているボタン部と、前記パイプ部材の内側に突出するように設けられており前記パイプ部材に嵌入された前記延長管を前記パイプ部材内で係止する係止部と、前記パイプ部材の外側かつ前記カバーの内側に設けられており前記刷毛部の前記クランプ係合部と当接し前記刷毛部を前記カバー内に収納する突起部と、を備えており、前記ボタン部が押圧されない場合は、前記ボタン部は前記カバーの外側に露出するように位置しており、前記突出部は前記パイプ部材の内側に突出するように位置しており、前記刷毛部が前記カバーから露出した状態では、前記突起部は前記クランプ係合部の後ろに位置し、前記刷毛部が前記カバー内に収納された状態では、前記突起部は前記クランプ係合部の前に位置し、前記ボタン部の押圧により、前記突起部は押し下がり前記突起部と前記クランプ係合部との係止が解除され、かつ前記係止部は転角し前記係止部と前記延長管との係止が解除され、前記係止の解除により前記刷毛部は前記補助吸込具の前方へと飛び出すように構成する。